(57)【要約】【課題】簡単な準備を行うだけで、表示装置によって画像を表示中に時間経過等の所定の条件が成立した場合に、周囲の人に気付かれることなく表示装置の使用者に報知を行うことが可能な表示システム、表示装置、及び、表示装置の制御方法を提供する。【解決手段】表示システム１０は、画像を表示するプロジェクター１００と、プロジェクター１００の使用者が所持するためのポインター２００とを備え、プロジェクター１００は、画像の表示を開始した後、所定の条件が成立したか否かを判定する条件判定部１２３と、所定の条件が成立したと判定された場合に、ポインター２００にトリガー信号を送信する信号送信制御部１２４とを備え、ポインター２００は、プロジェクター１００から送信されたトリガー信号を受信する無線通信部２０３と、無線通信部２０３によりトリガー信号が受信されると振動する振動発生部２０４とを備える。【選択図】図１
2012217073.tif 000002
【特許請求の範囲】
【請求項１】
画像を表示する表示装置と、当該表示装置の使用者が所持するための端末装置とを備え、
前記表示装置は、
前記画像の表示を開始した後、所定の条件が成立したか否かを判定する条件判定手段と、
前記条件判定手段によって前記所定の条件が成立したと判定された場合に、前記端末装置に所定の信号を送信する送信手段と、を備え、
前記端末装置は、
前記表示装置から送信された前記所定の信号を受信する受信手段と、
前記受信手段により前記所定の信号が受信されると振動する振動発生手段と、を備えること、
を特徴とする表示システム。
【請求項２】
前記表示装置は、前記画像の表示開始からの経過時間を計時する計時手段を備え、
前記条件判定手段は、前記計時手段が計時する経過時間が所定の時間に到達した場合に、前記所定の条件が成立したと判定することを特徴とする請求項１に記載の表示システム。
【請求項３】
前記表示装置は、前記画像の表示順序と前記所定の条件とを規定した制御データに基づいて、前記制御データにより規定される表示順序で前記画像を表示する再生手段を備え、
前記条件判定手段は、前記制御データにより規定される前記所定の条件が成立したか否かを判定することを特徴とする請求項１または２に記載の表示システム。
【請求項４】
前記条件判定手段は、複数の前記所定の条件について、成立したか否かを個別に判定し、
前記送信手段は、前記条件判定手段が成立したと判定した前記所定の条件に対応する振動パターンを指定する前記所定の信号を送信し、
前記振動手段は、前記受信手段が受信した前記所定の信号により指定された振動パターンで振動することを特徴とする請求項１から３のいずれかに記載の表示システム。
【請求項５】
前記表示装置は、前記画像を投射面に投射するプロジェクターであって、
前記端末装置は、指示光を照射する指示光照射手段を有するポインターであることを特徴とする請求項１から４のいずれかに記載の表示システム。
【請求項６】
前記表示装置は、前記画像を投射面に投射するプロジェクターであって、
前記端末装置には、指示光を照射するポインターに接続可能な接続部が設けられたことを特徴とする請求項１から４のいずれかに記載の表示システム。
【請求項７】
入力操作を検出する入力手段と、
前記入力手段により検出された入力操作に従った表示順序で画像を表示する表示手段と、
前記表示手段が前記画像の表示を開始した後、所定の条件が成立したか否かを判定する条件判定手段と、
前記条件判定手段によって前記所定の条件が成立したと判定された場合に、振動発生機能を有する端末装置を振動させる所定の信号を送信する送信手段と、
を備えることを特徴とする表示装置。
【請求項８】
入力操作に従った表示順序で画像を表示するとともに、
前記画像の表示開始後、所定の条件が成立したか否かを判定し、
前記所定の条件が成立したと判定した場合に、振動発生機能を有する端末装置を振動させる所定の信号を送信すること、
を特徴とする表示装置の制御方法。
【発明の詳細な説明】
【技術分野】
【０００１】
本発明は、表示システム、表示装置、及び、表示装置の制御方法に関する。
【背景技術】
【０００２】
従来、プロジェクター等の表示装置によって画像を表示しながら話者が解説を行うプレゼンテーションが広く行われている。多くの場合、話者が表示装置を操作して画像の表示送り等を行っているが、話者は限られた時間内に画像を適切なタイミングで切り換えてプレゼンテーションを進行する必要があり、負担が大きかった。そこで、話者に対して画像を切り換えるタイミングを報知する技術が提案された（例えば、特許文献１参照）。特許文献１には、プレゼンテーションを行う話者が持つリモコン装置がタイマーを内蔵し、設定した時間が経過するとリモコン装置が振動して、画像を切り換えるタイミングを伝えるシステムが開示されている。
【先行技術文献】
【特許文献】
【０００３】
【特許文献１】特開２００５−４９４３４号公報
【発明の概要】
【発明が解決しようとする課題】
【０００４】
しかしながら、上記従来のシステムではリモコン装置が振動する時間を予め設定する作業を要する。話者はプレゼンテーションの事前の準備としてやるべきことが多く、その上でリモコン装置にタイマーの設定を行うことや、リモコン装置が内蔵するタイマーの管理を行うことは負担が大きいという問題があった。
本発明は、上述した事情に鑑みてなされたものであり、簡単な準備を行うだけで、表示装置によって画像を表示中に時間経過等の所定の条件が成立した場合に、周囲の人に気付かれることなく表示装置を使用する使用者に報知を行うことが可能な表示システム、表示装置、及び、表示装置の制御方法を提供することを目的とする。
【課題を解決するための手段】
【０００５】
上記目的を達成するために、本発明は、画像を表示する表示装置と、当該表示装置の使用者が所持するための端末装置とを備え、前記表示装置は、前記画像の表示を開始した後、所定の条件が成立したか否かを判定する条件判定手段と、前記条件判定手段によって前記所定の条件が成立したと判定された場合に、前記端末装置に所定の信号を送信する送信手段と、を備え、前記端末装置は、前記表示装置から送信された前記所定の信号を受信する受信手段と、前記受信手段により前記所定の信号が受信されると振動する振動発生手段と、を備えること、を特徴とする。
本発明によれば、画像の表示開始後に所定の条件が成立すると、表示装置から、表示装置の使用者が所持する端末へ所定の信号が送信され、端末装置が振動するので、所定の条件が成立したことを周囲の人に気付かれることなく使用者に報知できる。また、表示装置が所定の条件の成立を判定して所定の信号を送信するので、表示装置に所定の条件を設定すればよく、端末装置側に設けたタイマーを動作させる場合等に比べて簡単な準備をすればよい。このため、使用者の負担を軽減できる。
【０００６】
また、本発明は、上記表示システムにおいて、前記表示装置は、前記画像の表示開始からの経過時間を計時する計時手段を備え、前記条件判定手段は、前記計時手段が計時する経過時間が所定の時間に到達した場合に、前記所定の条件が成立したと判定することを特徴とする。
本発明によれば、画像の表示開始から所定の時間が経過したことを、周囲の人に気付かれることなく表示装置の使用者に報知できる。また、表示装置において計時を行い、所定の時間に到達したことを判定するので、端末装置側への依存が小さく、管理の手間が少なくてすむ。さらに、事前の準備として、端末装置側に設けたタイマーを動作させる場合等に比べて簡単な、表示装置への時間の設定等をすればよいので、使用者の負担を軽減できる。
【０００７】
また、本発明は、上記表示システムにおいて、前記表示装置は、前記画像の表示順序と前記所定の条件とを規定した制御データに基づいて、前記制御データにより規定される表示順序で前記画像を表示する再生手段を備え、前記条件判定手段は、前記制御データにより規定される前記所定の条件が成立したか否かを判定することを特徴とする。
本発明によれば、画像の表示順序と所定の条件とを規定する制御データを用意しておくことで、この所定の条件が成立したことを表示装置の使用者に報知できる。従って、事前の準備が極めて容易であり、使用者の負担を軽減できる。
【０００８】
また、本発明は、上記表示システムにおいて、前記条件判定手段は、複数の前記所定の条件について、成立したか否かを個別に判定し、前記送信手段は、前記条件判定手段が成立したと判定した前記所定の条件に対応する振動パターンを指定する前記所定の信号を送信し、前記振動発生手段は、前記受信手段が受信した前記所定の信号により指定された振動パターンで振動することを特徴とする。
本発明によれば、複数の条件について、条件が成立したことを使用者に報知することが可能であり、振動パターンの違いによって、成立した条件がどの条件かを使用者に報知できる。
【０００９】
また、本発明は、上記表示システムにおいて、前記表示装置は、前記画像を投射面に投射するプロジェクターであって、前記端末装置は、指示光を照射する指示光照射手段を有するポインターであることを特徴とする。
本発明によれば、プロジェクターによって画像を表示中にポインターを振動させて、投射面に指示光を照射するポインターを所持する使用者に対し、所定の条件の成立を報知できる。これにより、プロジェクターで画像を表示させるプレゼンテーション等の進行に影響を与えることなく、プロジェクターの使用者に報知を行うことができる。
【００１０】
また、本発明は、上記表示システムにおいて、前記表示装置は、前記画像を投射面に投射するプロジェクターであって、前記端末装置には、前記投射面に対して指示光を投射するポインターに接続可能な接続部が設けられたことを特徴とする。
本発明によれば、プロジェクターが画像を投射する投射面に指示光を照射するため、プロジェクターの使用者が所持するポインターに、端末装置を装着できる。これにより、プロジェクターで画像を表示させるプレゼンテーション等の進行に影響を与えることなく、プロジェクターの使用者に報知を行うことができる。また、表示装置が送信する所定の信号を受信して振動する機能を持たないポインターを利用できる。
【００１１】
また、上記課題を解決するため、本発明は、入力操作を検出する入力手段と、前記入力手段により検出された入力操作に従った表示順序で画像を表示する表示手段と、前記表示手段が前記画像の表示を開始した後、所定の条件が成立したか否かを判定する条件判定手段と、前記条件判定手段によって前記所定の条件が成立したと判定された場合に、振動発生機能を有する端末装置を振動させる所定の信号を送信する送信手段と、を備えることを特徴とする。
本発明によれば、画像の表示開始後に所定の条件が成立すると、表示装置から、当該表示装置の使用者が所持する端末へ所定の信号が送信され、端末装置を振動させるので、所定の条件が成立したことを周囲の人に気付かれることなく使用者に報知できる。また、表示装置が所定の条件の成立を判定して所定の信号を送信するので、表示装置に所定の条件を設定すればよく、端末装置側に設けたタイマーを動作させる場合等に比べて簡単な準備をすればよい。このため、使用者の負担を軽減できる。
【００１２】
また、上記課題を解決するため、本発明は、入力操作に従った表示順序で画像を表示するとともに、前記画像の表示開始後、所定の条件が成立したか否かを判定し、前記所定の条件が成立したと判定した場合に、振動発生機能を有する端末装置を振動させる所定の信号を送信すること、を特徴とする。
本発明によれば、画像の表示開始後に所定の条件が成立すると、表示装置から、当該表示装置を使用する使用者が所持する端末へ所定の信号が送信され、端末装置が振動するので、所定の条件が成立したことを周囲の人に気付かれることなく使用者に報知できる。また、表示装置が所定の条件の成立を判定して所定の信号を送信するので、表示装置に所定の条件を設定すればよく、端末装置側に設けたタイマーを動作させる場合等に比べて簡単な準備をすればよい。このため、使用者の負担を軽減できる。
【００１３】
また、本発明は、表示装置を制御するコンピューターによって実行可能なプログラムであって、上記コンピューターを、入力操作を検出する入力手段と、前記入力手段により検出された入力操作に従った表示順序で画像を表示する表示手段と、前記表示手段が前記画像の表示を開始した後、所定の条件が成立したか否かを判定する条件判定手段と、前記条件判定手段によって前記所定の条件が成立したと判定された場合に、振動発生機能を有する端末装置を振動させる所定の信号を送信する送信手段と、して機能させるプログラムとして実現することもできる。
また、本発明は、表示装置を制御するコンピューターによって実行可能なプログラムを、上記コンピューターにより読み取り可能に記録した記録媒体であって、上記プログラムは、上記コンピューターを、入力操作を検出する入力手段と、前記入力手段により検出された入力操作に従った表示順序で画像を表示する表示手段と、前記表示手段が前記画像の表示を開始した後、所定の条件が成立したか否かを判定する条件判定手段と、前記条件判定手段によって前記所定の条件が成立したと判定された場合に、振動発生機能を有する端末装置を振動させる所定の信号を送信する送信手段と、して機能させるプログラムとして実現することもできる。
これらの態様により実現されるプログラムを実行することにより、表示装置を制御して、画像の表示開始後に所定の条件が成立すると、表示装置から、当該表示装置の使用者が所持する端末へ所定の信号が送信され、端末装置が振動するので、所定の条件が成立したことを周囲の人に気付かれることなく使用者に報知できる。また、表示装置が所定の条件の成立を判定して所定の信号を送信するので、表示装置に所定の条件を設定すればよく、端末装置側に設けたタイマーを動作させる場合等に比べて簡単な準備をすればよい。このため、使用者の負担を軽減できる。
【発明の効果】
【００１４】
本発明によれば、画像の表示開始後、所定の条件が成立したことを周囲の人に気付かれることなく、表示装置の使用者に報知できる。
【図面の簡単な説明】
【００１５】
【図１】第１の実施形態に係る表示システムの機能的構成を示すブロック図である。
【図２】プロジェクターにより再生されるプレゼンテーションファイルの構成例を模式的に示す図である。
【図３】ポインターの機能的構成を示すブロック図である。
【図４】プロジェクターの動作を示すフローチャートである。
【図５】プロジェクターが実行する振動制御処理を詳細に示すフローチャートである。
【図６】ポインターの動作を示すフローチャートである。
【図７】第２の実施形態に係るポインターの機能的構成を示すブロック図である。
【図８】第３の実施形態に係るポインターの機能的構成を示すブロック図である。
【図９】第４の実施形態に係る設定画面の例を示す図である。
【発明を実施するための形態】
【００１６】
［第１の実施形態］
以下、図面を参照して本発明の実施形態について説明する。
図１は、本発明を適用した第１の実施形態に係る表示システム１０の全体構成を示すブロック図である。同図に示すように、表示システムは、プロジェクター１００（表示装置）と、当該プロジェクター１００の使用者である操作者が所持（把持）するためのポインター２００（端末装置）とを有する。
【００１７】
プロジェクター１００には、パーソナルコンピューターや各種映像プレーヤー等の外部の画像供給装置（図示略）から画像信号が入力される。また、プロジェクター１００は、内蔵する記憶装置や外部の記憶装置が記憶する各種の画像ソース（後述するプレゼンテーションファイル１６５）を取得可能に構成されている。
プロジェクター１００は、外部から入力される画像信号または上記記憶装置から取得した画像ソースから生成された画像信号に基づいて変調された光を、スクリーンＳＣなどの投射面上に投射し、画像（以下、投射画像という）として表示させる。本実施例では、スクリーンＳＣはほぼ直立しており、スクリーン面は矩形形状とされている。プロジェクター１００に入力される画像は動画像（映像）と静止画像のどちらでもよく、プロジェクター１００は映像をスクリーンＳＣに投射することも、静止画像をスクリーンＳＣに投射し続けることも可能である。
【００１８】
プロジェクター１００は、例えばプレゼンテーションに使用される。この場合、プロジェクター１００が画像を投射するスクリーンＳＣの横に、プロジェクター１００を操作する操作者（話者）が立ち、投射中の画像を用いてプレゼンテーションを行う。操作者は、プロジェクター１００を操作するリモコン１７２を所持しており、このリモコン１７２の操作によってプロジェクター１００が投射する画像の切り替え等を指示する。
また、操作者が所持するポインター２００は、スクリーンＳＣに対して指示光を照射するレーザーポインターである。このポインター２００は、プロジェクター１００との間で無線信号を送受信する通信機能と、ポインター２００自体を振動させる振動発生機能とを備えている。プロジェクター１００は、振動発生に対応するトリガー信号（所定の信号）をポインター２００に送信し、このトリガー信号をポインター２００の通信機能により受信させることで、振動発生のタイミングを指定する。この振動発生機能により、プレゼンテーション中に、聴衆に気づかれないように操作者に対して報知を行うことができ、例えば、スクリーンＳＣに投射する画像の切り替えタイミングを知らせることができる。
【００１９】
プロジェクター１００は、外部の画像供給装置からケーブル１１を介して入力されたアナログ入力信号をＡ／Ｄ変換し、変換後のデジタル信号を後述する画像用プロセッサー１３１に出力するＡ／Ｄ変換部１１０を備えている。
また、プロジェクター１００は、可搬型のストレージメディア１６４を着脱自在に接続するためのインターフェースとして、メディア接続部１６３を備えている。外部の記憶装置であるストレージメディア１６４は、例えば、半導体メモリーデバイスを備えたスティック型、カード型あるいはチップ型等の形状を有する可搬型の記憶装置、或いは、ハードディスク装置であって、上述したプレゼンテーションファイル１６５等を記憶している。ストレージメディア１６４としてディスク型の光学的記録媒体を用いてもよい。メディア接続部１６３は、ＣＰＵ１２０の制御に従って、接続されたストレージメディア１６４から、プレゼンテーションファイル１６５を含む各種データを読み出し、読み出したデータを出力する。
プロジェクター１００は、ストレージメディア１６４から読み取ったプレゼンテーションファイル１６５等のデータをもとに画像を表示することも、Ａ／Ｄ変換部１１０を介して外部の画像供給装置から入力される画像信号に基づいて画像を表示することも可能である。以下の実施形態では、ストレージメディア１６４から読み取ったデータに基づいて画像を表示する場合を例に挙げて説明する。
【００２０】
プロジェクター１００は、大きく分けて光学的な画像の形成を行う光学系と、画像信号の再生制御を行う画像処理系とから構成される。光学系としての投射部１６０（表示部）は、照明光学系１４０、光変調装置としての液晶パネル１３０、投射光学系１５０から構成されている。
照明光学系１４０は、キセノンランプ、超高圧水銀ランプ、ＬＥＤ（Light Emitting Diode）等からなる光源を備えている。照明光学系１４０は、光源が発した光を液晶パネル１３０に導くリフレクター及び補助リフレクターを備えていてもよく、投射光の光学特性を高めるためのレンズ群、偏光板、或いは光源が発した光を液晶パネル１３０に至る経路上で減光させる調光素子（図示略）等を備えたものであってもよい。
【００２１】
液晶パネル１３０は、後述する画像処理系からの信号を受けて、照明光学系１４０からの光を変調する。液晶パネル１３０は、カラーの投影を行うため、ＲＧＢの三原色に対応した３枚の液晶パネルを備えて構成される。照明光学系１４０からの光はＲＧＢの３色の色光に分離され、各色の光は対応する各液晶パネルに入射する。各液晶パネルを通過して変調された色光はクロスダイクロイックプリズム等の合成光学系によって合成され、投射光学系１５０に射出される。
【００２２】
投射光学系１５０には、投射する画像の拡大・縮小及び焦点の調整を行うズームレンズ１５１、ズームの度合いを調整するズーム調整用モーター１５２、フォーカスの調整を行うフォーカス調整用モーター１５３が備えられている。投射光学系１５０は、液晶パネル１３０で変調された光を入射し、ズームレンズ１５１を用いて、スクリーンＳＣ上に投射画像を結像する。ズームレンズ１５１は、ズーム調整用モーター１５２とフォーカス調整用モーター１５３とによって、レンズの位置などが調整され、スクリーンＳＣ上の投射画像の拡大・縮小を行うズーム調整や、スクリーンＳＣ上に投射画像を適正に結像させるフォーカス調整を行う。
【００２３】
また、画像処理系は、プロジェクター１００全体を統合的に制御するＣＰＵ１２０と画像用プロセッサー１３１とを中心に構成され、Ａ／Ｄ変換部１１０、光変調装置駆動部１３２、レンズ駆動部１５４、ＲＡＭ１６１、ＲＯＭ１６２、メディア接続部１６３、リモコン制御部１７１、リモコン１７２、操作部１７３、ポインター通信部１８１、音声出力部１９１、スピーカー１９２等を備える。これらの画像処理系を構成する各要素は、バス１０１を介して互いに接続されている。
【００２４】
ＣＰＵ１２０は、ＲＯＭ１６２に記憶された制御プログラムを読み出して実行することにより、プロジェクター１００の各部を制御する。ＣＰＵ１２０は、上記制御プログラムを実行して、ストレージメディア１６４から読み取ったプレゼンテーションファイル１６５等のファイルを解析して再生するファイル再生部１２１（再生手段）と、計時を行うタイマー部１２２（計時手段）と、所定の条件が成立したか否かを判定する条件判定部１２３（条件判定手段）と、後述するポインター２００にトリガー信号を送信する信号送信制御部１２４（送信手段）として機能する。
ファイル再生部１２１は、メディア接続部１６３によってストレージメディア１６４から読み取られたプレゼンテーションファイル１６５等のファイルのうち、操作部１７３が検出した操作またはリモコン１７２の操作によって指定されたファイルを再生する。
タイマー部１２２は、ＲＴＣ（Real Time Clock）やシステムタイマー等により実現され、ファイル再生部１２１がファイルの再生を開始するとともに計時を開始し、カウント値を出力する。条件判定部１２３は、ファイル再生部１２１により再生されるファイルに、ポインター２００を振動させる条件が含まれている場合に、この条件が成立したか否かを判定する。信号送信制御部１２４は、条件判定部１２３によって条件が成立したと判定された場合に、ポインター通信部１８１（送信手段）によってポインター２００へトリガー信号を送信させる。
【００２５】
図２は、プロジェクター１００が再生するプレゼンテーションファイル１６５の構成例を模式的に示す図である。
この図２に示すように、プレゼンテーションファイル１６５は、再生データ１６５Ａと、画像ファイルの再生順等を規定する制御データ１６５Ｂとを含んでいる。
再生データ１６５Ａは、再生の対象となる複数の画像ファイル及び音声ファイルから構成され、それぞれのファイルには他のファイルと識別可能な固有の識別子（例えば、ファイル名）が付与されている。画像ファイルは、投射部１６０によりスクリーンＳＣに投射される画像のデータであり、音声ファイルは、後述する音声出力部１９１によって再生出力される音声のデータである。これら画像ファイル及び音声ファイルのファイルフォーマットや符号化方式等は特に制限されない。
制御データ１６５Ｂは、再生データ１６５Ａに含まれる画像ファイル及び音声ファイルの再生順序や再生方法を規定する情報、画像ファイルについては表示位置やズーム倍率等を規定する情報を含んでいる。また、制御データ１６５Ｂには、リモコン１７２の操作を待機するタイミングを指定する情報、表示する画像を切り換えるまでの待機時間等を規定するものである。
さらに、制御データ１６５Ｂは、ポインター２００が有する振動発生機能を作動させる条件、及び、ポインター２００を振動させる振動パターンを規定する情報を含んでいる。
【００２６】
図２に示すように、制御データ１６５Ｂは、一連の制御項目Ｃ１〜Ｃ９を含んでいる。各々の制御項目Ｃ１〜Ｃ９は、プロジェクター１００が実行する個別の動作を指定しており、プロジェクター１００が実行すべき順で制御データ１６５Ｂに含まれている。つまり、制御データ１６５Ｂは、プロジェクター１００の動作シーケンスを規定する情報となっている。制御データ１６５Ｂは、ＣＰＵ１２０のファイル再生部１２１により解析され、この制御データ１６５Ｂに従ってファイル再生部１２１が画像ファイルの表示、音声ファイルの再生、操作の待機、トリガー信号の送信等を制御する。
【００２７】
制御項目Ｃ１〜Ｃ９のうち、画像ファイルまたは音声ファイルを処理する制御項目は、再生データ１６５Ａに含まれる画像ファイルや音声ファイルに対応づけられている。ファイル再生部１２１は、各制御項目Ｃ１〜Ｃ９の実行時に、対応づけられたファイルを再生データ１６５Ａから取得する。
制御データ１６５Ｂの制御項目には、音声ファイルや画像ファイルの再生を指示する再生指示情報と、ポインター２００を振動させる動作に関する振動条件情報とがある。図２の例では制御項目Ｃ２、Ｃ３、Ｃ５〜Ｃ７が再生指示情報であり、制御項目Ｃ１、Ｃ８が振動条件情報である。また、制御項目Ｃ４、Ｃ９はＣＰＵ１２０の動作を規定する制御情報である。
【００２８】
例えば、最初の制御項目Ｃ１は、ポインター２００を振動させる条件を指定した振動条件情報であって、プレゼンテーションファイル１６５の再生開始後、２５分が経過した場合に、振動パターンＡでポインター２００を振動させることを規定している。この制御項目Ｃ１は振動に関する条件の設定を行う制御項目であるから、ファイル再生部１２１が制御項目を参照した場合は「２５分後」に「振動パターンＡ」とする設定を行う。制御項目Ｃ２は、再生データ１６５Ａに含まれる画像ファイル１の表示（再生）を指示する。制御項目Ｃ２を参照したファイル再生部１２１は、速やかに再生データ１６５Ａから、指定された画像ファイル１を取得して画像用プロセッサー１３１により表示させる。また、制御項目Ｃ２には画像ファイル１の表示位置、及び、表示エフェクト（表示中の画像に加える視覚的効果）を指定する情報も含まれているので、この情報に従って、画像用プロセッサー１３１は画像ファイル１を表示する。
【００２９】
同様に、制御項目Ｃ３は、再生データ１６５Ａに含まれる音声ファイル１の再生を指示する項目である。制御項目Ｃ４は、リモコン１７２又は操作部１７３を介して、所定の操作が入力されるまで待機することを規定している。つまり、制御項目Ｃ３で規定された音声ファイル１の再生が終了すると、ＣＰＵ１２０は、制御項目Ｃ４の指示通りに所定の操作が入力されるまで待機する。所定の操作の内容は、制御項目Ｃ４で指定される。この所定の操作が行われると、ファイル再生部１２１は次の制御項目Ｃ５を参照し、指定された画像ファイル２を表示する。また制御項目Ｃ６及びＣ７は、それぞれ画像ファイル３及び４の再生を指示する項目である。
制御項目Ｃ８は、ポインター２００を振動させる動作を指示する項目である。この制御項目Ｃ８を参照し、実行すると、ファイル再生部１２１は、制御項目Ｃ８で指定される振動パターンＢでポインター２００を振動させるための動作を、速やかに実行する。これにより、制御項目Ｃ７に従って画像ファイル４を再生した後、速やかにポインター２００が振動する。制御項目Ｃ９は、制御データ１６５Ｂの終端を指示しており、この制御項目Ｃ９を参照すると、ファイル再生部１２１は画像の表示を終え、動作を終了する。
【００３０】
このように、ファイル再生部１２１は、制御データ１６５Ｂに含まれる制御項目を順次実行することで、再生データ１６５Ａに含まれる各種ファイルを順に再生する。また、ファイル再生部１２１は、制御データ１６５Ｂに含まれる制御項目のうち振動条件情報に従って、ポインター２００を振動させる条件を設定する。条件判定部１２３は、この条件が成立したか否かを、プロジェクター１００の動作中に監視し、条件が成立すると、信号送信制御部１２４によりポインター２００を振動させるためのトリガー信号を送信する。ここで、成立した条件に対応する制御項目に、振動パターンが規定されている場合、信号送信制御部１２４は、この振動パターンでポインター２００を振動させるためのトリガー信号を送信する。
【００３１】
図１に戻り、画像用プロセッサー１３１は、Ａ／Ｄ変換部１１０やＣＰＵ１２０から入力された画像データをもとに、輝度、コントラスト、色の濃さ、色合い、投射画像の形状等の画像の表示状態を調整する処理を行って、表示用の画像データを生成し、この表示用の画像を表示するための画像信号を生成して光変調装置駆動部１３２に出力する。
光変調装置駆動部１３２は、画像用プロセッサー１３１から入力される画像信号に基づいて液晶パネル１３０を駆動し、液晶パネル１３０に画像を描画する。この液晶パネル１３０に描画された画像によって照明光学系１４０が発した光が変調され、スクリーンＳＣ上に投射画像として形成される。
【００３２】
レンズ駆動部１５４は、フォーカス調整用モーター１５３を駆動してフォーカス調整（光学調整）を行う。フォーカス調整を行うためには、ズームレンズ１５１のズーム比が必要である。このズーム比は、例えば、ズーム調整用モーター１５２によるズームレンズ１５１の駆動量から算出すればよい。
ＲＡＭ１６１は、ＣＰＵ１２０が実行するプログラムやデータを一時的に格納するワークエリアを形成する。ＲＯＭ１６２は、上述した各処理部を実現するためにＣＰＵ１２０が実行する制御プログラムやデータ等を記憶する。
【００３３】
リモコン制御部１７１は、プロジェクター１００の外部のリモコン１７２から送信される無線信号を受信する。リモコン１７２は、操作者によって操作される操作子（図示略）を備え、操作子に対する操作に応じた操作信号を赤外線信号または所定周波数の電波を用いた無線信号として送信する。リモコン制御部１７１は、赤外線信号を受信する受光部（図示略）や無線信号を受信する受信回路（図示略）を備え、リモコン１７２から送信された信号を受信し、解析して、操作者による操作の内容を示す信号を生成してＣＰＵ１２０に出力する。操作部１７３（操作部）は、操作子（図示略）を備え、操作子に対する操作に応じた操作信号をＣＰＵ１２０に出力する。この操作子としては、電源オン／オフを指示するスイッチ、投影画像の切り換えを指示するスイッチ等がある。
【００３４】
ポインター通信部１８１（送信部）は、プロジェクター１００の操作者が所持するポインター２００と通信を行うための通信インターフェースである。
ポインター通信部１８１は、ＣＰＵ１２０の制御に従って、振動開始を指示するとともに振動パターンを指定するトリガー信号を、ポインター２００に送信する。ポインター通信部１８１は、ポインター２００との間で通信可能であれば特に制限はないが、Ｂｌｕｅｔｏｏｔｈ（登録商標）や無線ＬＡＮ等の指向性の低い無線通信インターフェースを用いることが好ましい。
【００３５】
音声出力部１９１は、ＣＰＵ１２０が再生の対象とした音声ファイルのデジタル信号をＤ／Ａ変換し増幅等の音響処理を施した後、この音響処理後のアナログ信号をスピーカー１９２に出力する。スピーカー１９２は、音声出力部１９１から入力されたアナログ信号を音声として出力する。なお、図１の構成では、スピーカー１９２をプロジェクター１００が内蔵する形態としたが、これに限らず、外付けされたスピーカーを介して音声を出力する形態としてもよい。
【００３６】
次に、図３を参照して、ポインター２００の構成について説明する。
図３は、ポインター２００の機能的構成を示すブロック図である。ポインター２００は、スクリーンＳＣに投影中の画像を指し示す等の目的で用いられるポインターであり、例えばレーザーポインターである。ポインター２００は、発光部２０１（指示光照射手段）、スイッチ部２０２、無線通信部２０３（受信手段）、振動発生部２０４（振動発生手段）、振動制御部２０５（振動発生手段）、及び、これらの各部に電源を供給する二次電池等を備えた電源部２０６等により構成される。
【００３７】
発光部２０１は、指向性及び収束性を有する光を出力するレーザー発振機等を備えている。スイッチ部２０２は、発光部２０１から出力される光のオン／オフを切り換えるための切り換えスイッチである。発光部２０１は、スイッチ部２０２のオン／オフ操作に応じて、発光／消灯を切り換える。
無線通信部２０３（受信部）は、プロジェクター１００のポインター通信部１８１と通信を行うための通信インターフェースである。なお、無線通信部２０３の通信規格は、ポインター通信部１８１の通信規格に準ずるものとする。
振動発生部２０４（振動発生手段）は、例えば、偏芯した錘と錘を回転させるモーターとを含む振動用モーターを有し、振動制御部２０５の制御に従って振動用モーターを回転させることでポインター２００を振動させる。
振動制御部２０５は、無線通信部２０３を介してプロジェクター１００から受信したトリガー信号をもとに、振動パターンを識別し、この振動パターンに従って振動発生部２０４を振動させる。
電源部２０６は、図示しない電力供給線を通じてポインター２００の各部に電力を供給する。
【００３８】
ここで、振動パターンは、振動用モーターの駆動時間と駆動回数とから構成されるものである。例えば、「振動パターンＡ」は、振動用モーターを０．５秒間隔で３回振動させる動作であり、「振動パターンＢ」は、振動用モーターを０．５秒間隔で２回振動させる動作であり、「振動パターンＣ」が振動用モーターを０．５秒、０．２５秒間隔で交互に５回振動させる動作とすることができる。このように、複数の振動パターンを使い分けることで、振動の仕方によって操作者に異なる内容を報知できる。つまり、操作者に対して振動で報知を行うとともに、その報知がどのような内容かを知らせることができる。本実施形態では、制御データ１６５Ｂの振動条件情報によって振動パターンが規定されるので、例えば、画像の表示開始から所定時間（図２の例では２５分）が経過したことを報知する振動なのか、最後の画像が表示されたことを報知する振動なのかを、振動パターンの違いにより知らせることができる。
【００３９】
なお、トリガー信号に振動パターンを指定する機能を持たせる具体的な方法は任意であり、例えば、トリガー信号をデジタルデータとして、振動パターンを指定する情報をデジタル伝送してもよい。また、トリガー信号の信号波形を、振動発生部２０４の振動用モーターの駆動時間及び駆動回数を表す波形にしてもよい。また、振動パターン毎の駆動時間及び駆動回数を関連付けた設定テーブルを、振動制御部２０５が内蔵するＲＯＭ等の記憶媒体に予め記憶しておき、プロジェクター１００から振動パターンを指定するトリガー信号を送信し、振動制御部２０５が、トリガー信号で指定された振動パターンに対応する駆動時間及び駆動回数を上記記憶媒体から読み出して、振動用モーターを作動させる形態としてもよい。
【００４０】
続いて、プロジェクター１００の動作について説明する。
図４及び図５は、プロジェクター１００の動作を示すフローチャートであり、図４は全体的な動作を示し、図５は図４のステップＳ１５に示す振動制御処理を詳細に示す。
メディア接続部１６３にストレージメディア１６４が接続されると、ＣＰＵ１２０は、ファイル再生部１２１によって、メディア接続部１６３を介してストレージメディア１６４に記憶されたプレゼンテーションファイル１６５を読み出す（ステップＳ１１）。
続いて、ＣＰＵ１２０は、リモコン１７２又は操作部１７３からプレゼンテーションファイル１６５の再生を指示する操作を受け付けると、ファイル再生部１２１によってプレゼンテーションファイル１６５の再生を開始する（ステップＳ１２）。ここで、ＣＰＵ１２０は、ファイル再生部１２１によってプレゼンテーションファイル１６５に含まれる画像ファイルまたは音声ファイルの再生を開始するタイミングで、タイマー部１２２による計時を開始する。この計時開始のタイミングは、音声ファイルの再生開始または画像ファイルの表示開始時であり、プレゼンテーションファイル１６５の再生開始と同期するとは限らない。
【００４１】
ＣＰＵ１２０は、ファイル再生部１２１によって、プレゼンテーションファイル１６５に含まれた制御データ１６５Ｂから一つの制御項目を読み出し（ステップＳ１３）、その制御項目の内容を判別する（ステップＳ１４〜Ｓ１７）。
まず、ＣＰＵ１２０は、読み出した制御項目の内容が、ポインター２００を振動させる条件を規定した振動条件情報か否かを判別し（ステップＳ１４）、振動条件情報であると判別した場合（ステップＳ１４；Ｙｅｓ）、振動制御処理を実行し（ステップＳ１８）、ステップＳ２２に移行する。なお、振動制御処理は、他の処理（他の振動制御処理も含む）と並列に実行されるため、ＣＰＵ１２０は処理の完了を待たずにステップＳ２２に移行する。
【００４２】
ここで、振動制御処理について説明する。
図５に示すように、ＣＰＵ１２０は、ファイル再生部１２１により、振動条件情報に含まれている振動機能を作動させる条件として、時間の条件（再生開始からの経過時間）が指定されているか否かを判定する（ステップＳ３１）。ここで、時間の条件が指定されていないと判定した場合（ステップＳ３１；Ｎｏ）、ＣＰＵ１２０は、この振動条件情報を処理の対象とした時点で振動機能の作動条件が成立していると判断し、ステップＳ３４に直ちに移行する。
【００４３】
また、ステップＳ３１において、特定の時間が指定されていると判定した場合（ステップＳ３１；Ｙｅｓ）、ＣＰＵ１２０は、条件判定部１２３によってタイマー部１２２のカウント値を取得し（ステップＳ３２）、このカウント値から経過時間を求め、経過時間が指定された時間に達したか否かを判別する（ステップＳ３３）。条件判定部１２３は、指定された時間に達するまではタイマー部１２２のカウント値を監視しながら待機し（ステップＳ３３；Ｎｏ）、指定された時間に到達すると、ポインター２００を振動させる条件が成立したと判定する（ステップＳ３３；Ｙｅｓ）。
【００４４】
ＣＰＵ１２０は、条件判定部１２３によりポインター２００を振動させる条件が成立したと判定した場合、信号送信制御部１２４によって、制御データ１６５Ｂの制御項目で指定された指定された振動パターンを指示するトリガー信号を生成して、ポインター通信部１８１によってポインター２００に送信させる（ステップＳ３４）。このトリガー信号を受信したポインター２００は、振動制御部２０５の制御により、トリガー信号で指示された振動パターンで振動発生部２０４を動作させ、振動する。
【００４５】
また、図４の動作において、ステップＳ１３で読み出した制御項目の内容が振動条件情報でないと判別した場合（ステップＳ１４；Ｎｏ）、ＣＰＵ１２０は、取得した制御項目が画像ファイルの再生を指示するものか否かをファイル再生部１２１によって判別する（ステップＳ１５）。ここで、制御項目が画像ファイルの再生を指示するものである場合（ステップＳ１５；Ｙｅｓ）、ＣＰＵ１２０は、ファイル再生部１２１により再生が指示された画像ファイルを再生データ１６５Ａから取得して、画像用プロセッサー１３１に出力するとともに、制御項目で指示された表示位置及び表示エフェクトで表示させるよう画像用プロセッサー１３１を制御し、該当する画像ファイルを投影画像として再生させ（ステップＳ１９）、ステップＳ２２に移行する。
【００４６】
また、ステップＳ１３で読み出した制御項目の内容が画像ファイルの再生を指示するものでないと判別した場合（ステップＳ１５；Ｎｏ）、ＣＰＵ１２０は、取得した制御項目が音声ファイルの再生を指示するものか否かをファイル再生部１２１によって判別する（ステップＳ１６）。ここで、制御項目が音声ファイルの再生を指示するものと判別した場合（ステップＳ１６；Ｙｅｓ）、ＣＰＵ１２０は、再生が指示された音声ファイルを再生データ１６５Ａから取得して再生し、音声信号または音声データを音声出力部１９１に出力して、この音声ファイルの音声をスピーカー１９２から出力（再生）させ（ステップＳ２０）、ステップＳ２２に移行する。
【００４７】
また、ステップＳ１３で読み出した制御項目の内容が音声ファイルの再生を指示するものでないと判別した場合（ステップＳ１６；Ｎｏ）、ＣＰＵ１２０は、取得した制御項目が操作入力の待機を指示するものか否かをファイル再生部１２１によって判別する（ステップＳ１７）。ここで、制御項目が操作入力の待機を指示するものであると判別した場合（ステップＳ１７；Ｙｅｓ）、ＣＰＵ１２０は、リモコン１７２又は操作部１７３を介して所定の操作が行われるまで待機し（ステップＳ２１）、この所定の操作が行われると、ステップＳ２２に移行する。
一方、ステップＳ１３で読み出した制御項目が操作入力の待機を指示するものでないと判別した場合（ステップＳ１７；Ｎｏ）、ＣＰＵ１２０は、制御項目が制御データ１６５Ｂの終端を表すものであるとして、ステップＳ２２に直ちに移行する。
【００４８】
ステップＳ２２において、ＣＰＵ１２０は、ファイル再生部１２１によって他の制御項目の処理に移行するか否かを判定する（ステップＳ２２）。すなわち、制御データ１６５Ｂに含まれる次の制御項目を取得して処理をするかを判定する。ここで、次の制御項目に自動で移行するよう設定されている場合や、リモコン１７２又は操作部１７３を介して次の制御項目又は前の制御項目への移行が指示された場合には（ステップＳ２２；Ｙｅｓ）、ステップＳ１３に再び戻り、次の制御項目又は前の制御項目を読み出す。
【００４９】
一方、ステップＳ２２において、本処理の終了が明示的に指示された場合（ステップＳ２２；Ｎｏ）、ＣＰＵ１２０は、ステップＳ１８の振動制御処理とともに、本処理を終了する。ここで、処理の終了が明示的に指示されるとは、例えば、リモコン１７２又は操作部１７３を介して本処理の終了が指示された場合や、他のプレゼンテーションファイル１６５の読み取りが指示された場合が挙げられる。なお、制御データ１６５Ｂの終端に到達した場合であっても、画像ファイル等を再度再生することが想定されるため、本処理の終了が明示的に指示された状態とは判断しないものとする。ここで処理を継続する場合、ＣＰＵ１２０は、制御データ１６５Ｂの先頭の制御項目に戻って処理を継続するか、或いは、ストレージメディア１６４内の他のプレゼンテーションファイル１６５を検索して読み出すことが考えられる。
【００５０】
例えば、図２に示したプレゼンテーションファイル１６５を用いた場合、ＣＰＵ１２０は、まず制御データ１６５Ｂの制御項目Ｃ１を実行対象とし、上述した振動制御処理のステップＳ３３において２５分間の待機を行う。また、ＣＰＵ１２０は、制御項目Ｃ１の時間条件を設定した後は、振動制御処理と並行して、制御項目Ｃ２及び制御項目Ｃ３を順次実行する。これにより、時間経過を待機しながら画像ファイル１及び音声ファイル１の再生を順次行う。また、制御項目Ｃ４は操作入力の待機を指示するので、ＣＰＵ１２０はリモコン１７２又は操作部１７３からの操作入力を待機する。ここで、リモコン１７２又は操作部１７３から操作入力が行われると、ＣＰＵ１２０は、制御項目Ｃ５〜Ｃ７の実行により、画像ファイル２〜４の再生（表示）を順次行う。
【００５１】
これに対し、制御項目Ｃ８は時間的条件を定めないでポインター２００を振動させるよう指示する項目であるから、ＣＰＵ１２０は条件判定部１２３によって、条件が即時成立したと判定する。これにより、信号送信制御部１２４によって振動パターンＢのトリガー信号がポインター２００に送信される。なお、制御項目Ｃ２〜Ｃ９をファイル再生部１２１が解析（判定）して実行中であっても、経過時間が２５分間に到達すると、ＣＰＵ１２０は条件判定部１２３によって条件が成立したと判定し、信号送信制御部１２４によって振動パターンＡのトリガー信号をポインター２００に送信する。
このため、再生開始から２５分が経過すると、ポインター２００は振動パターンＡで振動し、最後の画像の再生が行われると、ポインター２００は振動パターンＢで振動する。このため、操作者は、自分が感じた振動パターンの違いをもとに、プレゼンテーション開始から２５分が経過したこと、及び、表示された画像が最後の画像であることを、聴衆には気づかれずに、知ることができる。
【００５２】
次に、ポインター２００の動作について説明する。
図６は、ポインター２００の動作を示すフローチャートである。
ポインター２００の振動制御部２０５は、無線通信部２０３がプロジェクター１００からトリガー信号を受信すると（ステップＳ４１）、受信したトリガー信号により指定される振動パターンを判定する（ステップＳ４２）。続いて、振動制御部２０５は、トリガー信号で指示される振動パターンで振動発生部２０４を作動させることで、ポインター２００自体を振動させ（ステップＳ４２）、処理を終了する。なお、上述したようにトリガー信号自体の波形によって振動パターンが示されている場合、振動制御部２０５は、このトリガー信号の波形を反映するように振動発生部２０４を駆動する。
【００５３】
以上説明したように、本第１の実施形態に係る表示システムによれば、操作者のリモコン１７２または操作部１７３による操作に応じて画像を表示するプロジェクター１００と、操作者が所持するポインター２００とを備え、プロジェクター１００は、画像の表示を開始した後、所定の条件が成立したか否かを判定する条件判定部１２３と、条件判定部１２３によって所定の条件が成立したと判定された場合に、ポインター２００にトリガー信号を送信する信号送信制御部１２４とを備え、ポインター２００は、プロジェクター１００から送信されたトリガー信号を受信する無線通信部２０３と、無線通信部２０３によりトリガー信号が受信されると振動する振動発生部２０４とを備え、画像の表示開始後に所定の条件が成立すると、プロジェクター１００から操作者が所持する端末へトリガー信号が送信され、ポインター２００が振動するので、所定の条件が成立したことを周囲の人に気付かれることなく操作者に報知できる。また、プロジェクター１００が所定の条件の成立を判定してトリガー信号を送信するので、プロジェクター１００に所定の条件を設定すればよく、ポインター２００側に設けたタイマーを動作させる場合等に比べて簡単な準備をすればよい。このため、操作者の負担を軽減でき、プレゼンテーションの進行を円滑に進めることができる。
【００５４】
また、プロジェクター１００は、画像の表示開始からの経過時間を計時するタイマー部１２２を備え、条件判定部１２３は、タイマー部１２２が計時する経過時間が所定の時間に到達した場合に、所定の条件が成立したと判定するので、画像の表示開始から所定の時間が経過したことを、周囲の人に気付かれることなく操作者に報知できる。また、プロジェクター１００において計時を行い、所定の時間に到達したことを判定するので、ポインター２００側への依存が小さく、管理の手間が少なくてすむ。さらに、事前の準備として、ポインター２００側に設けたタイマーを動作させる場合等に比べて簡単な、プロジェクター１００への時間の設定等をすればよいので、操作者の負担を軽減できる。
【００５５】
また、プロジェクター１００は、画像の表示順序と所定の条件とを規定した制御データ１６５Ｂに基づいて、制御データ１６５Ｂにより規定される表示順序で画像を表示するファイル再生部１２１を備え、条件判定部１２３は、制御データ１６５Ｂにより規定される所定の条件が成立したか否かを判定するので、画像の表示順序と所定の条件とを規定する制御データ１６５Ｂを用意しておくことで、この所定の条件が成立したことを操作者に報知できる。従って、事前の準備が極めて容易であり、操作者の負担を軽減できる。さらに、ファイル再生部１２１は、ストレージメディア１６４から読み出したプレゼンテーションファイル１６５において制御データ１６５Ｂを検出し、この制御データ１６５Ｂに従って処理を行うので、操作者は事前にストレージメディア１６４に必要な情報を記憶させてプロジェクター１００のメディア接続部１６３に接続すればよい。このため、より手軽に準備を行える。
【００５６】
また、条件判定部１２３は、複数の所定の条件について、成立したか否かを個別に判定し、信号送信制御部１２４は、条件判定部１２３が成立したと判定した所定の条件に対応する振動パターンとして、例えば振動パターンＡまたは振動パターンＢを指定するトリガー信号を送信し、振動手段は、無線通信部２０３が受信したトリガー信号により指定された振動パターンで振動するので、条件が成立したことを操作者に報知することが可能であり、振動パターンの違いによって、成立した条件がどの条件かを操作者に報知できる。
【００５７】
さらに、画像を投射面に投射するプロジェクター１００と、指示光を照射する発光部２０１を有するポインター２００とを備えた表示システム１０に本発明を適用することにより、プロジェクター１００を用いたプレゼンテーション等の進行に影響を与えることなく、操作者に報知を行うことができる。
【００５８】
なお、上述した実施形態は本発明を適用した具体的態様の例に過ぎず、本発明を限定するものではなく、上記実施形態とは異なる態様として本発明を適用することも可能である。例えば、上述した実施形態では、ポインター２００が振動機能に係る無線通信部２０３、振動発生部２０４及び振動制御部２０５を一体的に備える構成としたが、これに限らず、例えば図７及び図８に示すように、無線通信部２０３、振動発生部２０４及び振動制御部２０５を別体とする構成としてもよい。
【００５９】
［第２の実施形態］
図７は、本発明を適用した第２の実施形態に係るポインター２１０の機能的構成を示すブロック図である。
この図７に示すポインター２１０は、上記第１の実施形態におけるポインター２００に代えて使用される装置である。ポインター２１０は、発光側装置２１０Ａと振動側装置２１０Ｂとに分離可能な構成となっている。発光側装置２１０Ａは、上述したポインター２００と同様の発光部２０１及びスイッチ部２０２を備える他、これらの各部に電源を供給する電源部２０６を備えている。発光側装置２１０Ａは、スイッチ部２０２の操作に応じて発光部２０１が指示光を照射する。
一方、振動側装置２１０Ｂは、ポインター２００と同様の無線通信部２０３、振動発生部２０４及び振動制御部２０５を備えており、プロジェクター１００が送信したトリガー信号を無線通信部２０３により受信し、このトリガー信号により指定される振動パターンで振動制御部２０５が振動発生部２０４を駆動し、振動する。また、振動側装置２１０Ｂは、振動側装置２１０Ｂ側の各部に電源を供給する電源部２０７を備えている。電源部２０７は、電源部２０６と同様に二次電池等を備え、電源部２０６とは独立して各部に電源を供給する。そして、発光側装置２１０Ａと振動側装置２１０Ｂはそれぞれ別の筐体に納められ、各筐体は、例えばフック、マグネット或いは面ファスナーを用いた接続部により着脱可能となっていて、必要に応じて分離することも、一体として使用することもできる。
【００６０】
例えば、操作者は、発光側装置２１０Ａを手に持ってスクリーンＳＣ（図１）に指示光を照射してプレゼンテーション等を行い、その間、振動側装置２１０Ｂを衣服のポケット等に収容することができる。この場合、振動発生部２０４が振動する際に発光側装置２１０Ａが発する指示光が揺れない、振動音が聴衆に聞こえない等の利点がある。また、発光側装置２１０Ａと振動側装置２１０Ｂとを一体として使用すれば、上記第１の実施形態と同様に、一つのデバイスを用いて指示光を照射しながら振動により情報を知ることができるという利点がある。
【００６１】
さらに、発光側装置２１０Ａ（ポインター）は、例えば市販のレーザーポインターを用いることができる。この場合、振動側装置２１０Ｂ（端末装置）の筐体に、市販のレーザーポインターに取り付け可能なフックや装着穴を設けることで、ポインター２１０を実現できる。この場合、レーザーポインターを利用して、プレゼンテーション等の進行に影響を与えることなく、操作者に報知を行うことができる。また、プロジェクター１００が送信するトリガー信号を受信して振動する機能を持たないポインターを利用できる。
【００６２】
［第３の実施形態］
図８は、本発明を適用した第３の実施形態に係るポインター２２０の機能的構成を示すブロック図である。
この図８に示すポインター２２０は、上記第１の実施形態におけるポインター２００に代えて使用される装置である。ポインター２２０は、発光側装置２２０Ａと振動側装置２２０Ｂとに分離可能な構成となっている。発光側装置２２０Ａは、上述したポインター２００と同様の発光部２０１及びスイッチ部２０２を備える他、これらの各部に電源供給ライン２２１を介して電源を供給する電源部２０６を備えている。発光側装置２２０Ａは、スイッチ部２０２の操作に応じて発光部２０１が指示光を照射する。
一方、振動側装置２２０Ｂは、ポインター２００と同様の無線通信部２０３、振動発生部２０４及び振動制御部２０５を備えており、プロジェクター１００が送信したトリガー信号を無線通信部２０３により受信し、このトリガー信号により指定される振動パターンで振動制御部２０５が振動発生部２０４を駆動し、振動する。
【００６３】
発光側装置２２０Ａと振動側装置２２０Ｂはそれぞれ別の筐体に納められ、各筐体は、例えばフック、マグネット或いは面ファスナーを用いた接続部により着脱可能となっていて、必要に応じて分離することも、一体として使用することもできる。
そして、発光側装置２２０Ａと振動側装置２２０Ｂの各筐体の接合部には、接続部２２５が設けられている。接続部２２５は、振動側装置２２０Ｂ側の無線通信部２０３、振動発生部２０４及び振動制御部２０５の各部に電源を供給する電源供給ライン２２２を備える一方、発光側装置２２０Ａの電源部２０６に電気的に接続される。
【００６４】
発光側装置２２０Ａと振動側装置２２０Ｂの各筐体を分離する場合、接続部２２５は図中破線で示すように２つに分離する。この分離部分は例えばマグネットキャッチ付きのコネクターにより実現可能である。発光側装置２２０Ａと振動側装置２２０Ｂを分離すると、振動側装置２２０Ｂの各部は電源部２０６から切り離されるので、電源が供給されないが、発光側装置２１０Ａを単独でレーザーポインター等として使用できる。また、振動側装置２２０Ｂを発光側装置２２０Ａに接合すれば、接続部２２５を介して振動側装置２２０Ｂ側の各部にも電源が供給されるので、上述したポインター２００と同様に使用できる。この図８のポインター２２０は、図７に示したポインター２１０に比べ、二次電池等を備えた電源部２０６が一つで済むため、充電管理がポインター２００と同様に楽になるという利点がある。
【００６５】
［第４の実施形態］
図９は、第４の実施形態において、プロジェクター１００の機能によりスクリーンＳＣに表示される設定画面２３０の構成例を示す図である。
この図９に例示する設定画面２３０は、プロジェクター１００の画像用プロセッサー１３１の機能によって、本来表示すべき画像の上に重ねてＯＳＤ表示される。設定画面２３０には、ポインター２００を振動させる条件を、再生開始からの経過時間とするか、最後のファイルを再生した際とするか等を設定する項目、例えば条件として時間を設定した場合の設定値を設定する項目、振動パターンを設定する項目等の各種設定項目が表示される。また、設定終了を示すボタンも表示される。設定画面２３０の表示開始、及び、設定画面２３０に表示された項目の選択や値の入力は、リモコン１７２または操作部１７３の操作により行うことができる。
【００６６】
本第４の実施形態では、プロジェクター１００の操作により、上記第１の実施形態において制御データ１６５Ｂによって指定していた振動条件情報を、直接入力して設定できる。つまり、ＣＰＵ１２０のファイル再生部１２１が再生する制御データが、制御データ１６５Ｂを含んでいなくても、プロジェクター１００で再生しながらポインター２００の振動による報知を実現できる。これにより、通常のプレゼンテーションファイル作成ソフトウェアによって作成されたプレゼンテーションファイルを使用し、必要なタイミングでポインター２００を振動させることができる。また、設定画面２３０により、振動条件情報以外に、画像ファイルや音声ファイルの再生順序、再生時の表示位置等の条件を、入力できるようにしてもよい。
【００６７】
さらに別の実施形態として、図１に示すリモコン１７２と、ポインター２００とが一体となった構成とすることも可能である。具体的には、リモコン１７２とポインター２００の筐体を一体に連結してもよく、リモコン１７２及びポインター２００の内部回路を一つの筐体に納めて電源を共有する構成としてもよい。
この場合、リモコン１７２によってプロジェクター１００を操作し、プレゼンテーションを進行する操作者に対し、手に持ったリモコン１７２が振動することで時間を通知できる。すなわち、リモコン１７２によるプレゼンテーションの進行、及びポインター２００による時間の通知を１つのデバイスで行うことができる。
【００６８】
なお、上述した各実施形態は本発明を適用した具体的態様の例に過ぎず、本発明を限定するものではなく、上記各実施形態とは異なる態様として本発明を適用することも可能である。例えば、上記実施形態では、ストレージメディア１６４に記憶されたプレゼンテーションファイル１６５を読み取り、プレゼンテーションファイル１６５に含まれる制御データ１６５Ｂに従ってポインター２００を振動させる構成としたが、これに限らず、外部の装置からケーブル１１を介してプレゼンテーションファイル１６５が入力された場合に、このプレゼンテーションファイル１６５をＲＡＭ１６１に記憶して、上記の動作を行う構成としてもよい。
【００６９】
また、上記実施形態において、信号送信制御部１２４がポインター２００に対してトリガー信号を送信するタイミングで、音声出力部１９１を制御し、スピーカー１９２から報知音声を出力してもよい。この場合、例えばプレゼンテーションの開始から設定された時間が経過したことを音声によって聴衆を含めた全員に報知できる。
また、プロジェクター１００が通信ネットワーク等を介して外部のコンピューター等に接続され、このコンピューター等から通知されるタイミングでポインター２００に対してトリガー信号を送信してもよく、この場合には外部のコンピューターが管理するイベントに応じてポインター２００を振動させることができる。
【００７０】
また、上記実施形態では、光源が発した光を変調する光変調装置として、ＲＧＢの各色に対応した３枚の透過型または反射型の液晶パネル１３０を用いた構成を例に挙げて説明したが、本発明はこれに限定されるものではなく、例えば、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等により構成してもよい。ここで、表示部として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
さらに、本発明の表示装置は、スクリーンＳＣに画像を投射するプロジェクターに限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ（Organic Light-emitting-diode）、ＯＥＬ（Organic Electro-Luminescence）等と呼ばれる有機ＥＬ表示パネルに画像を表示するモニター装置またはテレビ受像機等の自発光型の表示装置など、各種の表示装置も本発明の表示装置に含まれ、入力された画像信号に基づく画像をカラー表示することができる携帯型の表示装置も含まれる。この場合、液晶表示パネル、プラズマディスプレイパネル、有機ＥＬ表示パネルが光変調装置に相当する。
また、図１、図３、図７、及び図８に示した表示システム１０の各機能部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【符号の説明】
【００７１】
１０…表示システム、１００…プロジェクター（表示装置）、１２０…ＣＰＵ、１２１…ファイル再生部（再生手段）、１２２…タイマー部（計時手段）、１２３…条件判定部（条件判定手段）、１２４…信号送信制御部（送信手段）、１６０…投射部（表示手段）、１６３…メディア接続部、１６４…ストレージメディア、１６５…プレゼンテーションファイル、１６５Ａ…再生データ、１６５Ｂ…制御データ、１７２…リモコン（操作部）、１７３…操作部、１８１…ポインター通信部（送信部）、２００…ポインター（端末装置）、２０１…発光部（指示光照射手段）、２０３…無線通信部（受信手段）、２０４…振動発生部（振動発生手段）、２０５…振動制御部（振動発生手段）、２１０、２２０…ポインター、２１０Ａ、２２０Ａ…発光側装置（ポインター）、２１０Ｂ、２２０Ｂ…振動側装置（端末装置）、２２１、２２２…電源供給ライン。
【図１】
2012217073.tif 000003
【図２】
2012217073.tif 000004
【図３】
2012217073.tif 000005
【図４】
2012217073.tif 000006
【図５】
2012217073.tif 000007
【図６】
2012217073.tif 000008
【図７】
2012217073.tif 000009
【図８】
2012217073.tif 000010
【図９】
2012217073.tif 000011